(57)【要約】【課題】製造、組立コストを抑制し、重量やサイズを増大させることなく、ロッカーピンの変形に伴う引張強度の低下や摩耗伸び、発熱、騒音、歯飛びを低減するとともに、アライメントのずれの許容量を大きくするサイレントチェーンを提供すること。【解決手段】一対のガイドプレート１１０と複数のリンクプレート１２０、１３０とをロッカーピン１４１、１４２により交互に連結編成されてなるサイレントチェーン１００において、ガイドプレート１１０が、前後一対のピン孔の間の位置で２つに分割されていること。【選択図】図２
2012013111.tif 000002
【特許請求の範囲】
【請求項１】
一対のガイドプレートと、前記ガイドプレート間に配列された複数のリンクプレートよりなるガイドリンク列と、複数のリンクプレートよりなる非ガイドリンク列とを有し、前記ガイドプレートおよびリンクプレートの前後一対のピン孔にロッカー面を有する長、短一対のロッカーピンが該ロッカー面を対抗させて挿通されて、前記ガイドリンク列のリンクプレートと前記非ガイドリンク列のリンクプレートが交互に連結編成されたサイレントチェーンにおいて、
前記ガイドプレートが、前後一対のピン孔の間の位置で２つに分割されていることを特徴とするサイレントチェーン。
【請求項２】
前記２つに分割されたガイドプレートのいずれか一方が、ガイド機能を有さないことを特徴とする請求項１に記載のサイレントチェーン。
【請求項３】
前記２つに分割されたガイドプレートの一方が、前記ガイドリンク列のリンクプレートの外側でガイド機能を有し、
前記２つに分割されたガイドプレートの他方が、前記非ガイドリンク列のリンクプレートの外側でガイド機能を有することを特徴とする請求項１に記載のサイレントチェーン。
【発明の詳細な説明】
【技術分野】
【０００１】
本発明は、多数のリンクプレートを連結ピンにより連結しかつ最外側にガイドプレートを配置してなる動力伝達用のサイレントチェーンに関するものである。
【背景技術】
【０００２】
従来、動力伝達用チェーンとして用いられるサイレントチェーンにおいて、一対のガイドプレートと、ガイドプレート間に配列された複数のリンクプレートよりなるガイドリンク列と、複数のリンクプレートよりなる非ガイドリンク列とを有し、ガイドプレートおよびリンクプレートの前後一対のピン孔にロッカー面を有する長、短一対のロッカーピンが該ロッカー面を対抗させて挿通されて、ガイドリンク列のリンクプレートと非ガイドリンク列のリンクプレートが交互に連結編成されたものが公知である。
【０００３】
公知のサイレントチェーン５００は、図８、図９に示すように、各々一対の歯部およびピン孔が形成されたガイドリンク列のリンクプレート５２０と非ガイドリンク列のリンクプレート５３０を交互に積層するとともに、これらのリンクプレート５２０、５３０の各ピン孔内にロッカー面を有する長、短一対のロッカーピン５４１、５４２を、該ロッカー面を対抗させて挿入して各リンクプレート５２０、５３０を枢動可能に連結し、さらにガイドリンク列のリンクプレート５２０の最外側にガイドプレート５１０を配置し、ガイドプレート５１０が長ロッカーピン５４１と密に嵌合して長ロッカーピン５４１を抜け止めする構造を有している。
【０００４】
また、最外側に設けられたガイドプレート５１０は、図１０に示すように、ガイドリンク列のリンクプレート５２０の歯部がスプロケットＳに噛み合う際にスプロケットＳの歯Ｔの両側部にかかる形状に形成されており、サイレントチェーン５００が幅方向にずれないように規制するガイド機能を有している。
【０００５】
この公知のサイレントチェーン５００は、スプロケットＳに噛み合って張力が生じることとなるが、スプロケットＳから受ける張力は各リンクプレート５２０、５３０で受け、ガイドプレート５１０は直接張力を受けない。
このことで、各リンクプレート５２０、５３０と長、短一対のロッカーピン５４１、５４２との僅かなクリアランスおよび弾性変形の影響で、図１１に示すように、長ロッカーピン５４１の両端がガイドプレート５１０に規制されて中央部が弓状に変形し、ガイドプレート５１０も弓状に反ることとなる。
【０００６】
この結果、各リンクプレート５２０、５３０と長、短一対のロッカーピン５４１、５４２とが幅方向での当接が不均一となり、局所的に張力が集中しサイレントチェーン５００の全体としての引張強度が低下したり、繰り返しの変形によって摩耗伸びや発熱、騒音が増加したりするという問題があった。
【０００７】
また、スプロケットＳに噛み合う際に、前記変形の影響で、ガイドリンク列のリンクプレート５２０と非ガイドリンク列のリンクプレート５３０とので歯のピッチ差が生じて着座が不安定となり、歯飛びや騒音が増加するなどの問題があった。
【０００８】
さらに、スプロケットのアライメントが幅方向にずれた場合、図１２に示すように、ガイドリンク列のリンクプレート５２０は最外側に長ロッカーピン５４１と密に嵌合されたガイドプレート５１０が存在するため殆ど傾斜することができず、非ガイドリンク列のリンクプレート５３０のみが傾斜してサイレントチェーン５００が斜行することとなるため、幅方向のアライメントのずれの許容量が非常に小さくなるという問題があった。
【０００９】
これらの問題を軽減するため、円筒状のロッカーピンを有するサイレントチェーンにおいて、ガイドプレートをロッカーピンに対して長手方向に遊嵌し、ガイドプレートの外側にロッカーピンの抜け止め用プレートを密に嵌合させたものが公知である（特許文献１、特許文献２等参照。）。
【先行技術文献】
【特許文献】
【００１０】
【特許文献１】特開２０００−２０５３４６号公報（全頁、全図）
【特許文献２】特開２００２−１３０３８５号公報（全頁、全図）
【発明の概要】
【発明が解決しようとする課題】
【００１１】
特許文献１、２等に記載された公知のサイレントチェーンによれば、上記のロッカーピンの変形による各問題はある程度軽減されるものの、サイレントチェーン本来の引張強度と無関係な部品点数が増加するため、製造、組立コストが増加しサイレントチェーンの重量も増加するという問題があった。
また、サイレントチェーンの幅方向のサイズが増加することとなるため、適用されるチェーン伝送装置のサイズも増大し、小型軽量化を阻害するという問題があった。
【００１２】
本発明は、前述したような従来技術の問題を解決するものであって、すなわち、本発明の目的は、製造、組立コストを抑制し、重量やサイズを増大させることなく、ロッカーピンの変形に伴う引張強度の低下や摩耗伸び、発熱、騒音、歯飛びを低減するとともに、アライメントのずれの許容量を大きくするサイレントチェーンを提供することである。
【課題を解決するための手段】
【００１３】
本請求項１に係る発明は、一対のガイドプレートと、前記ガイドプレート間に配列された複数のリンクプレートよりなるガイドリンク列と、複数のリンクプレートよりなる非ガイドリンク列とを有し、前記ガイドプレートおよびリンクプレートの前後一対のピン孔にロッカー面を有する長、短一対のロッカーピンが該ロッカー面を対抗させて挿通されて、前記ガイドリンク列のリンクプレートと前記非ガイドリンク列のリンクプレートが交互に連結編成されたサイレントチェーンにおいて、前記ガイドプレートが、前後一対のピン孔の間の位置で２つに分割されていることにより、前記課題を解決するものである。
【００１４】
本請求項２に係る発明は、請求項１に記載されたサイレントチェーンの構成に加えて、前記２つに分割されたガイドプレートのいずれか一方が、ガイド機能を有さないことにより、前記課題をさらに解決するものである。
【００１５】
本請求項３に係る発明は、請求項１に記載されたサイレントチェーンの構成に加えて、前記２つに分割されたガイドプレートの一方が、前記ガイドリンク列のリンクプレートの外側でガイド機能を有し、前記２つに分割されたガイドプレートの他方が、前記非ガイドリンク列のリンクプレートの外側でガイド機能を有することにより、前記課題をさらに解決するものである。
【発明の効果】
【００１６】
本請求項１に係る発明のサイレントチェーンは、一対のガイドプレートと、ガイドプレート間に配列された複数のリンクプレートよりなるガイドリンク列と、複数のリンクプレートよりなる非ガイドリンク列とを有し、ガイドプレートおよびリンクプレートの前後一対のピン孔にロッカー面を有する長、短一対のロッカーピンが該ロッカー面を対抗させて挿通されて、ガイドリンク列のリンクプレートと非ガイドリンク列のリンクプレートが交互に連結編成されたサイレントチェーンにおいて、ガイドプレートが前後一対のピン孔の間の位置で２つに分割されていることにより、各リンクプレートが張力を受け長ロッカーピンが離れる方向に移動しても、２つに分割されたガイドプレートはそれぞれ長ロッカーピンとともに自由に移動することができるため、各リンクプレートと長、短一対のロッカーピンとが幅方向で均一に当接して局所的に張力が集中することがなく、サイレントチェーン全体としての引張強度が低下したり、繰り返しの変形によって発熱や騒音が増加したりすることがない。
【００１７】
また、２つに分割されたガイドプレートは、幅方向の最外側でガイド機能を有するとともに、長ロッカーピンに密に嵌合し抜け止めの機能を有しており、別途の部品を必要としないため、製造、組立コストや重量が増加することはなく、幅方向のサイズも増加することとはないため、適用されるチェーン伝送装置の小型軽量化が可能となる。
【００１８】
本請求項２に係る発明のサイレントチェーンは、請求項１に係るサイレントチェーンが奏する効果に加えて、２つに分割されたガイドプレートのいずれか一方が、ガイド機能を有さないことにより、２つに分割されたガイドプレートのいずれか一方を長ロッカーピンに密に嵌合し抜け止めの機能のみを有する小さなものとすることができるため、さらに重量を小さくすることができ、適用されるチェーン伝送装置の小型軽量化が可能となる。
【００１９】
本請求項３に係る発明のサイレントチェーンは、請求項１に係るサイレントチェーンが奏する効果に加えて、２つに分割されたガイドプレートの一方が、ガイドリンク列のリンクプレートの外側でガイド機能を有し、２つに分割されたガイドプレートの他方が、非ガイドリンク列のリンクプレートの外側でガイド機能を有することにより、全てのスプロケットの歯の外側で幅方向のガイドを行うことができるため、より円滑にスプロケットと噛み合うことが可能となり、騒音や歯飛びをさらに低減することができる。
【図面の簡単な説明】
【００２０】
【図１】本発明の第１実施例であるサイレントチェーンの平面図。
【図２】本発明の第１実施例であるサイレントチェーンの側面図。
【図３】本発明の第１実施例であるサイレントチェーンのスプロケットへの巻き掛け時の説明図。
【図４】本発明の第１実施例であるサイレントチェーンの引張時の説明図。
【図５】本発明の第１実施例であるサイレントチェーンの斜行時の説明図。
【図６】本発明の第２実施例であるサイレントチェーンの側面図。
【図７】本発明の第３実施例であるサイレントチェーンの側面図。
【図８】従来のサイレントチェーンの平面図。
【図９】従来のサイレントチェーンの側面図。
【図１０】従来のサイレントチェーンのスプロケットへの巻き掛け時の説明図。
【図１１】従来のサイレントチェーンの引張時の説明図。
【図１２】従来のサイレントチェーンの斜行時の説明図。
【発明を実施するための形態】
【００２１】
本発明は、一対のガイドプレートと、ガイドプレート間に配列された複数のリンクプレートよりなるガイドリンク列と、複数のリンクプレートよりなる非ガイドリンク列とを有し、ガイドプレートおよびリンクプレートの前後一対のピン孔にロッカー面を有する長、短一対のロッカーピンが該ロッカー面を対抗させて挿通されて、ガイドリンク列のリンクプレートと非ガイドリンク列のリンクプレートが交互に連結編成されたサイレントチェーンにおいて、ガイドプレートが前後一対のピン孔の間の位置で２つに分割され、製造、組立コストを抑制し、重量やサイズを増大させることなく、ロッカーピンの変形に伴う引張強度の低下や摩耗伸び、発熱、騒音、歯飛びを低減するとともに、アライメントのずれの許容量を大きくするという効果を奏するものであれば、その具体的な実施態様は如何なるものであっても何ら構わない。
【００２２】
なお、各図面に示す各構成部材の形状、変形量やずれ量等は、実寸ではなく、発明が明確に支持される範囲内で、より解りやすく説明するために簡略化したり誇張したものである。
また、各図面に示す各リンクプレートの枚数についても、説明のために異なるものが混在しているが、実際には、枚数は如何なるものであっても良い。
【実施例１】
【００２３】
以下に、本発明の実施例であるサイレントチェーンについて、図面に基づいて説明する。
本発明の第１実施例であるサイレントチェーン１００は、図１、図２に示すように、各々一対の歯部およびピン孔が形成されたガイドリンク列のリンクプレート１２０と非ガイドリンク列のリンクプレート１３０を交互に積層するとともに、これらのリンクプレート１２０、１３０の各ピン孔内にロッカー面を有する長、短一対のロッカーピン１４１、１４２が該ロッカー面を対抗させて挿入されて、各リンクプレート１２０、１３０を枢動可能に連結し、さらにガイドリンク列のリンクプレート１２０の最外側に２つに分割されたガイドプレート１１０を配置した構造を有している。
【００２４】
そして、ガイドプレート１１０は、前後一対のピン孔の間の中央位置でクリアランスＣを有するように２つに分割されており、それぞれ、１つの長ロッカーピン１４１と密に嵌合して長ロッカーピン１４１を抜け止めするとともに、図３に示すように、ガイドリンク列のリンクプレート１２０の歯部がスプロケットＳに噛み合う際にスプロケットＳの歯Ｔの両側部にかかる形状に形成されており、サイレントチェーン１００が幅方向にずれないように規制するガイド機能を有している。
【００２５】
以上の構成の本発明の第１実施例であるサイレントチェーン１００によれば、スプロケットＳに噛み合って張力が生じると、各リンクプレート１２０、１３０で受けることとなり、各リンクプレート１２０、１３０と長、短一対のロッカーピン１４１、１４２との僅かなクリアランスおよび弾性変形によってサイレントチェーン１００が張力方向に僅かに伸びる。
【００２６】
この時、図４に示すように、各長ロッカーピン１４１の両端はそれぞれ２つに分割されたガイドプレート１１０ａ、１１０ｂに密に嵌合しており、互いに独立して変位可能なため、各リンクプレート１２０、１３０からの力を幅方向で均等に受けることができ、中央部が弓状に変形することはない。
【００２７】
したがって、各リンクプレート１２０、１３０と長、短一対のロッカーピン１４１、１４２とが幅方向で均等に当接し、局所的に張力が集中することなく、サイレントチェーン１００の全体としての引張強度が低下することはない。
また、長、短一対のロッカーピン１４１、１４２が繰り返し変形することがなく、摩耗伸びや発熱、騒音を低減することができる。
【００２８】
また、スプロケットＳに噛み合う際にも、各長ロッカーピン１４１の両端はそれぞれ２つに分割されたガイドプレート１１０ａ、１１０ｂに密に嵌合しており、互いに独立して変位可能なため、ガイドリンク列のリンクプレート１２０と非ガイドリンク列のリンクプレート１３０とので歯のピッチ差が生じることを抑制でき、着座が安定し、歯飛びや騒音を防止することができる。
【００２９】
さらに、スプロケットのアライメントが幅方向にずれた場合、図５に示すように、各長ロッカーピン１４１の両端はそれぞれ２つに分割されたガイドプレート１１０ａ、１１０ｂに密に嵌合しており、互いに独立して変位可能なため、ガイドリンク列のリンクプレート１２０および非ガイドリンク列のリンクプレート１３０が均等に傾斜してサイレントチェーン１００が斜行することができ、幅方向のアライメントのずれの許容量を大きくすることができる。
【００３０】
また、２つに分割されたガイドプレート１１０ａ、１１０ｂは、従来のガイドプレートよりも重量を増加させることなく、且つ、幅方向にも従来のガイドプレートと全く同様のサイズとすることができ、適用されるチェーン伝送装置の小型軽量化が可能となる。
【実施例２】
【００３１】
本発明の第２実施例であるサイレントチェーン２００は、図６に示すように、各々一対の歯部およびピン孔が形成されたガイドリンク列のリンクプレート２２０と非ガイドリンク列のリンクプレート２３０を交互に積層するとともに、これらのリンクプレート２２０、２３０の各ピン孔内にロッカー面を有する長、短一対のロッカーピン２４１、２４２が該ロッカー面を対抗させて挿入されて、各リンクプレート２２０、２３０を枢動可能に連結し、さらにガイドリンク列のリンクプレート２２０の最外側に２つに分割されたガイドプレート２１０を配置した構造を有している。
【００３２】
そして、ガイドプレート２１０は、前後一対のピン孔の間の中央位置で２つに分割されており、一方の長ガイドプレート２１１が長ロッカーピン２４１と密に嵌合して長ロッカーピン２４１を抜け止めするとともに、ガイドリンク列のリンクプレート２２０の歯部がスプロケットＳに噛み合う際にスプロケットＳの歯Ｔの両側部にかかる形状に形成されており、サイレントチェーン２００が幅方向にずれないように規制するガイド機能を有している。
【００３３】
他方の短ガイドプレート２１２は、長ロッカーピン２４１と密に嵌合して長ロッカーピン２４１を抜け止めするとともに、長ロッカーピン２４１と嵌合するのに必要な大きさでリンクプレート２２０、２３０の外形より内側のみに収まる大きさとして、ガイド機能を有さないように構成されている。
【００３４】
以上の構成の本発明の第２実施例であるサイレントチェーン２００によれば、第１実施例であるサイレントチェーン１００と同様の作用、効果に加えて、短ガイドプレート２１２を抜け止め機能のみ有する極めて軽量のものとすることができるとともに、長ガイドプレート２１１も、ガイド機能を達成できる最低限の大きさとすることが可能となり、サイレントチェーン２００の重量をさらに小さくすることができ、適用されるチェーン伝送装置のさらなる小型軽量化が可能となる。
【実施例３】
【００３５】
本発明の第３実施例であるサイレントチェーン３００は、図７に示すように、各々一対の歯部およびピン孔が形成されたガイドリンク列のリンクプレート３２０と非ガイドリンク列のリンクプレート３３０を交互に積層するとともに、これらのリンクプレート３２０、３３０の各ピン孔内にロッカー面を有する長、短一対のロッカーピン３４１、３４２が該ロッカー面を対抗させて挿入されて、各リンクプレート３２０、３３０を枢動可能に連結し、さらにガイドリンク列のリンクプレート３２０の最外側に２つに分割されたガイドプレート３１０を配置した構造を有している。
【００３６】
そして、ガイドプレート３１０は、前後一対のピン孔の間の中央位置で２つに分割されており、一方の長ガイドプレート３１１ａが長ロッカーピン３４１と密に嵌合して長ロッカーピン３４１を抜け止めするとともに、ガイドリンク列のリンクプレート３２０の歯部がスプロケットＳに噛み合う際にスプロケットＳの歯Ｔの両側部にかかる形状に形成されており、サイレントチェーン２００が幅方向にずれないように規制するガイド機能を有している。
【００３７】
他方の長ガイドプレート３１１ｂは、長ロッカーピン３４１と密に嵌合して長ロッカーピン３４１を抜け止めするとともに、非ガイドリンク列のリンクプレート３３０の歯部がスプロケットＳに噛み合う際にスプロケットＳの歯Ｔの両側部にかかる形状に形成されており、サイレントチェーン２００が幅方向にずれないように規制するガイド機能を有している。
【００３８】
以上の構成の本発明の第３実施例であるサイレントチェーン３００によれば、第１実施例であるサイレントチェーン１００と同様の作用、効果に加えて、両方の長ガイドプレート３１１ａ、３１１ｂが、それぞれ、ガイドリンク列のリンクプレート３２０の外側および非ガイドリンク列のリンクプレート３３０の外側でガイド機能を有することにより、全てのスプロケットの歯の外側で幅方向のガイドを行うことができるため、より円滑にスプロケットと噛み合うことが可能となり、騒音や歯飛びをさらに低減することができる。
【００３９】
以上説明したように、本発明によれば、製造、組立コストを抑制し、重量やサイズを増大させることなく、ロッカーピンの変形に伴う引張強度の低下や摩耗伸び、発熱、騒音、歯飛びを低減するとともに、アライメントのずれの許容量を大きくできるなど、その効果は甚大である。
【００４０】
なお、上記各実施例では、ガイドプレートの形状として従来の形状を２分割したもの、円形、小判型のものを図示して例示しているが、ロッカーピンを抜け止めでき、ガイド機能を発揮できる形状であれば、いかなる形状であっても良い。
【００４１】
また、上記実施例２において、長ガイドプレート２１１がガイドリンク列のリンクプレート２２０の歯部がスプロケットＳに噛み合う際にスプロケットＳの歯Ｔの両側部にかかる形状に形成されているが、長ガイドプレート２１１が非ガイドリンク列のリンクプレート２３０の歯部がスプロケットＳに噛み合う際にスプロケットＳの歯Ｔの両側部にかかる形状（図６の左右逆斜め方向に延びる小判形）に形成されていても良い。
【００４２】
さらに、長ガイドプレート２１１がガイドリンク列のリンクプレート２２０および非ガイドリンク列のリンクプレート２３０の両方の歯部をカバーする形状（図６の左右両斜め方向に広がる小判型以外の形状）であっても良く、その場合、実施例３と同様の作用・効果も奏することとなる。
【符号の説明】
【００４３】
１００、２００、３００、５００  ・・・サイレントチェーン
１１０、２１０、３１０、５１０  ・・・ガイドプレート
２１１、３１１          ・・・長ガイドプレート
２１２                  ・・・短ガイドプレート
１２０、２２０、３２０、５２０  ・・・ガイドリンク列リンクプレート
１３０、２３０、３３０、５３０  ・・・非ガイドリンク列リンクプレート
１４１、２４１、３４１、５４１  ・・・長ロッカーピン
１４２、２４２、３４２、５４２  ・・・短ロッカーピン
【図１】
2012013111.tif 000003
【図２】
2012013111.tif 000004
【図３】
2012013111.tif 000005
【図４】
2012013111.tif 000006
【図５】
2012013111.tif 000007
【図６】
2012013111.tif 000008
【図７】
2012013111.tif 000009
【図８】
2012013111.tif 000010
【図９】
2012013111.tif 000011
【図１０】
2012013111.tif 000012
【図１１】
2012013111.tif 000013
【図１２】
2012013111.tif 000014